(57)【特許請求の範囲】
【請求項１】
画像データを転送する第１の情報処理装置と、前記画像データを無線通信により受信する第２の情報処理装置とを含み、前記第１の情報処理装置と前記第２の情報処理装置とは近距離無線通信により通信が可能となっているネットワークシステムであって、
前記第２の情報処理装置は、
近距離無線通信を行う第１通信手段と、
前記近距離無線通信とは異なる通信方式で無線通信を行う第２通信手段と、
前記第１通信手段により確立された通信により、第１の転送経路により転送を行うための第１の情報と、前記第１の転送経路とは異なる第２の転送経路により転送を行うための第２の情報とを前記第１の情報処理装置に送信する送信手段と、
前記送信手段により前記第１の情報と前記第２の情報とを送信した後に確立された前記第２通信手段による通信により前記画像データを取得する取得手段とを有し、
前記第１の情報処理装置は、
前記第２の情報処理装置の第１通信手段と同じ通信プロトコルにより近距離無線通信を行う第１通信手段と、
前記第２の情報処理装置の第２通信手段と同じ通信プロトコルにより無線通信を行う第２通信手段と、
前記第１通信手段により前記第２の情報処理装置の前記第１通信手段と確立された通信により、前記第１の情報と前記第２の情報とを受信する受信手段と、
前記第１の転送経路による転送が可能である場合、前記第１の情報に基づいて前記第２通信手段を介して前記画像データを前記第１の転送経路により転送し、前記第１の転送経路による転送が可能でない場合、前記第２の情報に基づいて前記第２通信手段を介して前記画像データを前記第２の転送経路により転送するための制御を行う転送制御手段とを有することを特徴とするネットワークシステム。
【請求項２】
画像データを近距離無線通信により他の情報処理装置から受信することが可能な情報処理装置であって、
近距離無線通信を行う第１通信手段と、
前記近距離無線通信とは異なる通信方式で無線通信を行う第２通信手段と、
前記第１通信手段により確立された通信により、第１の転送経路により転送を行うための第１の情報と、前記第１の転送経路とは異なる第２の転送経路により転送を行うための第２の情報とを前記他の情報処理装置に送信する送信手段と、
前記送信手段により前記第１の情報と前記第２の情報とを送信した後に確立された前記第２通信手段による通信により前記画像データを受信する受信手段とを有し、
前記他の情報処理装置は前記第１の転送経路による転送が可能である場合、前記第１の情報に基づいて前記画像データを前記第１の転送経路により転送し、前記第１の転送経路による転送が可能でない場合、前記第２の情報に基づいて前記画像データを前記第２の転送経路により転送し、
前記受信手段は、前記第１の転送経路または前記第２の転送経路により転送された前記画像データを受信することを特徴とする情報処理装置。
【請求項３】
ユーザの指示に応じて、前記第１の転送経路を設定する設定手段をさらに有し、
前記送信手段は、前記設定手段により設定された前記第１の転送経路に対応する第１の情報を送信することを特徴とする請求項２に記載の情報処理装置。
【請求項４】
前記設定手段は、前記第１の転送経路として第１の転送先を設定し、
前記送信手段は、前記設定手段により設定された前記第１の転送先に対応する前記第１の情報と前記第１の転送先とは異なる第２の転送先に対応する前記第２の情報を送信することを特徴とする請求項３に記載の情報処理装置。
【請求項５】
前記第１通信手段による通信を確立し、前記設定手段による設定を前記送信手段により前記他の情報処理装置に送信した後に、前記第２通信手段による通信に切り換える切り換え手段をさらに有することを特徴とする請求項３又は４に記載の情報処理装置。
【請求項６】
前記情報処理装置は、携帯型通信端末装置であることを特徴とする請求項２乃至５のいずれか１項に記載の情報処理装置。
【請求項７】
前記情報処理装置は、無線通信によりネットワークに接続された、前記他の情報処理装置とも異なる所定の装置との通信が可能であり、
前記第１の転送経路は前記情報処理装置への転送経路であり、前記第２の転送経路は前記所定の装置への転送経路であることを特徴とする請求項２乃至６のいずれか１項に記載の情報処理装置。
【請求項８】
前記第１通信手段はＮＦＣの通信プロトコルに従って動作し、
前記第２通信手段はＷＬＡＮの通信プロトコルに従って動作することを特徴とする請求項２乃至７のいずれか１項に記載の情報処理装置。
【請求項９】
前記送信手段は、前記第１通信手段により確立された前記通信により、前記第１の情報と前記第２の情報とを共に送信することを特徴とする請求項２乃至８のいずれか１項に記載の情報処理装置。
【請求項１０】
画像データを他の情報処理装置に送信することが可能な情報処理装置における通信方法であって、
前記画像データを第１の転送経路により転送するための第１の情報と、前記第１の転送経路とは異なる第２の転送経路により転送するための第２の情報を前記他の情報処理装置との間で確立された近距離無線通信により受信する受信工程と、
前記第１の転送経路による転送が可能である場合、前記第１の情報に基づいて前記近距離無線通信とは異なる通信方式を用いた無線通信を介して前記画像データを前記第１の転送経路により転送し、前記第１の転送経路による転送が可能でない場合、前記第２の情報に基づいて前記近距離無線通信とは異なる通信方式を用いた前記無線通信を介して前記画像データを前記第２の転送経路によりに転送するための制御を行う転送制御工程とを有することを特徴とする通信方法。
【請求項１１】
前記情報処理装置はスキャナ装置であることを特徴とする請求項１０に記載の通信方法。
【請求項１２】
前記転送制御工程では、前記他の情報処理装置から受信した指示に従って原稿を読み取って生成された画像データを前記近距離無線通信とは異なる通信方式を用いた前記無線通信を介して前記画像データを前記第１の転送経路又は前記第２の転送経路により転送するための制御を行うことを特徴とする請求項１１に記載の通信方法。
【請求項１３】
前記画像データの転送中に通信エラーが発生したかどうかを監視する監視工程をさらに有し、
前記転送制御工程では、前記第１の転送経路による転送が可能であるか否かを前記監視工程における監視に基づき判断することを特徴とする請求項１０乃至１２のいずれか１項に記載の通信方法。
【請求項１４】
前記第１の転送経路は前記他の情報処理装置への転送経路であり、前記第２の転送経路は前記他の情報処理装置とも異なる所定の装置への転送経路であることを特徴とする請求項１０乃至１３のいずれか１項に記載の通信方法。
【請求項１５】
前記所定の装置としてサーバ装置に前記画像データを転送した場合、前記サーバ装置に対して前記他の情報処理装置に画像データの転送が終了した旨を通知するよう依頼する依頼工程をさらに有することを特徴とする請求項１４に記載の通信方法。
【請求項１６】
前記近距離無線通信はＮＦＣの通信プロトコルを用い、
前記近距離無線通信とは異なる通信方式はＷＬＡＮの通信プロトコルを用いることを特徴とする請求項１０乃至１５のいずれか１項に記載の通信方法。
【請求項１７】
前記受信工程では、前記近距離無線通信により、前記第１の情報と前記第２の情報とを共に受信することを特徴とする請求項１０乃至１６のいずれか１項に記載の通信方法。
【請求項１８】
請求項１０乃至１７のいずれか１項に記載の各工程をコンピュータに実行させることを特徴とするコンピュータプログラム。
【請求項１９】
画像データを転送する第１の情報処理装置と、前記画像データを無線通信により受信する第２の情報処理装置とを含み、前記第１の情報処理装置と前記第２の情報処理装置とが近距離無線通信により通信が可能となっているネットワークシステムにおける通信方法であって、
前記第２の情報処理装置が、近距離無線通信により前記第１の情報処理装置と確立された通信により、第１の転送経路により転送を行うための第１の情報と、前記第１の転送経路とは異なる第２の転送経路により転送を行うための第２の情報とを前記第１の情報処理装置に送信する送信工程と、
前記第１の情報処理装置が、前記第２の情報処理装置と確立された通信により前記第１の情報と前記第２の情報とを受信する受信工程と、
前記第１の情報処理装置が、前記第１の転送経路による転送が可能である場合、前記第１の情報に基づいて前記近距離無線通信とは異なる通信方式を用いた無線通信を介して前記画像データを前記第１の転送経路により転送し、前記第１の転送経路による転送が可能でない場合、前記第２の情報に基づいて前記近距離無線通信とは異なる通信方式を用いた前記無線通信を介して前記画像データを前記第２の転送経路により転送するための制御を行う転送制御工程とを有することを特徴とする通信方法。
【請求項２０】
前記第２の情報処理装置が、ユーザの指示に応じて、前記第１の転送経路を設定する設定工程をさらに有し、
前記送信工程で前記第２の情報処理装置は、前記設定工程において設定された前記第１の転送経路に対応する第１の情報を送信することを特徴とする請求項１９に記載の通信方法。
【請求項２１】
前記設定工程では、前記第１の転送経路として第１の転送先を設定し、
前記送信工程は、前記設定工程において設定された前記第１の転送先に対応する前記第１の情報と前記第１の転送先とは異なる第２の転送先に対応する前記第２の情報を送信することを特徴とする請求項２０に記載の通信方法。
【請求項２２】
前記第１の転送経路は前記第２の情報処理装置への転送経路であり、前記第２の転送経路は前記第２の情報処理装置とは異なる所定の装置への転送経路であることを特徴とする請求項１９乃至２１のいずれか１項に記載の通信方法。
【請求項２３】
前記近距離無線通信はＮＦＣであり、
前記近距離無線通信とは異なる通信方式はＷＬＡＮであることを特徴とする請求項１９乃至２２のいずれか１項に記載の通信方法。
【請求項２４】
前記送信工程では、前記近距離無線通信により前記第１の情報処理装置と確立された通信により、前記第１の情報と前記第２の情報とを共に送信し、
前記受信工程では、前記近距離無線通信により前記第２の情報処理装置と確立された通信により、前記第１の情報と前記第２の情報とを共に受信することを特徴とする請求項１９乃至２３のいずれか１項に記載の通信方法。
【発明の詳細な説明】
【技術分野】
【０００１】
本発明はネットワークシステム、情報処理装置、及び通信方法に関し、特に、無線通信により通信が可能なネットワークシステム、そのシステムを構成する情報処理装置、及び、その通信方法に関する。
【背景技術】
【０００２】
近年、携帯型通信端末装置やＭＦＰ（多機能プリンタ、或いは、マルチファンクションプリンタ）などの装置に近接無線通信の手段を備え、画像などのデータを送受信する方法が知られている（例えば、特許文献１）。またその際、複数の通信手段を備え、通信速度と操作性を鑑みて第１通信手段から第２通信手段へ適宜切り換える方法も提案されている（例えば、特許文献２）。
【０００３】
第１通信手段としては低速な通信手段であるが通信相手を一意に識別しやすい、ＮＦＣ（Near Field Communication）などが挙げられる。一方、第２通信手段としては高速な通信手段であるＢｌｕｅｔｏｏｔｈ（登録商標）や無線ＬＡＮ（ＷＬＡＮ）などが挙げられる。従って、認証処理などを第１通信手段で行い、大容量データの転送は第２通信手段で転送することで、利便性を向上させるプリンタが提案されている。
【先行技術文献】
【特許文献】
【０００４】
【特許文献１】特開２０１０−００６０１６号公報
【特許文献２】特開２００７−１６６５３８号公報
【発明の概要】
【発明が解決しようとする課題】
【０００５】
しかしながら、上記特許文献１及び特許文献２では、小容量のメモリを有するＭＦＰなどの装置からデータを外部に送信することについては考慮されていない。
【０００６】
例えば、上記近接無線通信によってＭＦＰのスキャナなどから読み取った画像データを外部の装置へ転送するときに、画像データの転送中にその通信が利用不可能になることが考えられる。このような場合、次回の接続が確立されるまでＭＦＰが画像データを保持するか、或いは破棄する必要があるため、ユーザの利便性が損なわれ、ＭＦＰのメモリの利用可能な領域を圧迫する可能性があるという課題があった。
【０００７】
本発明は上記従来例に鑑みてなされたもので、ある転送経路によりデータ転送が不可能になった場合でも、他の転送経路によりデータ転送が可能なネットワークシステム、情報処理装置、及び通信方法を提供すること目的としている。
【課題を解決するための手段】
【０００８】
上記目的を達成するために本発明のネットワークシステムは次のような構成からなる。
【０００９】
即ち、画像データを転送する第１の情報処理装置と、前記画像データを無線通信により受信する第２の情報処理装置とを含み、前記第１の情報処理装置と前記第２の情報処理装置とは近距離無線通信により通信が可能となっているネットワークシステムであって、前記第２の情報処理装置は、近距離無線通信を行う第１通信手段と、前記近距離無線通信とは異なる通信方式で無線通信を行う第２通信手段と、前記第１通信手段により確立された通信により、第１の転送経路により転送を行うための第１の情報と、前記第１の転送経路とは異なる第２の転送経路により転送を行うための第２の情報とを前記第１の情報処理装置に送信する送信手段と、前記送信手段により前記第１の情報と前記第２の情報とを送信した後に確立された前記第２通信手段による通信により前記画像データを取得する取得手段とを有し、前記第１の情報処理装置は、前記第２の情報処理装置の第１通信手段と同じ通信プロトコルにより近距離無線通信を行う第１通信手段と、前記第２の情報処理装置の第２通信手段と同じ通信プロトコルにより無線通信を行う第２通信手段と、前記第１通信手段により前記第２の情報処理装置の前記第１通信手段と確立された通信により、前記第１の情報と前記第２の情報とを受信する受信手段と、前記第１の転送経路による転送が可能である場合、前記第１の情報に基づいて前記第２通信手段を介して前記画像データを前記第１の転送経路により転送し、前記第１の転送経路による転送が可能でない場合、前記第２の情報に基づいて前記第２通信手段を介して前記画像データを前記第２の転送経路により転送するための制御を行う転送制御手段とを有することを特徴とする。
【００１０】
また本発明を別の側面から見れば、画像データを近距離無線通信により他の情報処理装置から受信することが可能な情報処理装置であって、近距離無線通信を行う第１通信手段と、前記近距離無線通信とは異なる通信方式で無線通信を行う第２通信手段と、前記第１通信手段により確立された通信により、第１の転送経路により転送を行うための第１の情報と、前記第１の転送経路とは異なる第２の転送経路により転送を行うための第２の情報とを前記他の情報処理装置に送信する送信手段と、前記送信手段により前記第１の情報と前記第２の情報とを送信した後に確立された前記第２通信手段による通信により前記画像データを受信する受信手段とを有し、前記他の情報処理装置は前記第１の転送経路による転送が可能である場合、前記第１の情報に基づいて前記画像データを前記第１の転送経路により転送し、前記第１の転送経路による転送が可能でない場合、前記第２の情報に基づいて前記画像データを前記第２の転送経路により転送し、前記受信手段は、前記第１の転送経路または前記第２の転送経路により転送された前記画像データを受信することを特徴とする情報処理装置を備える。
【００１１】
さらに本発明を別の側面から見れば、画像データを他の情報処理装置に送信することが可能な情報処理装置における通信方法であって、前記画像データを第１の転送経路により転送するための第１の情報と、前記第１の転送経路とは異なる第２の転送経路により転送するための第２の情報を前記他の情報処理装置との間で確立された近距離無線通信により受信する受信工程と、前記第１の転送経路による転送が可能である場合、前記第１の情報に基づいて前記近距離無線通信とは異なる通信方式を用いた無線通信を介して前記画像データを前記第１の転送経路により転送し、前記第１の転送経路による転送が可能でない場合、前記第２の情報に基づいて前記近距離無線通信とは異なる通信方式を用いた前記無線通信を介して前記画像データを前記第２の転送経路によりに転送するための制御を行う転送制御工程とを有することを特徴とする通信方法を備える。
【００１２】
またさらに本発明を別の側面から見れば、画像データを転送する第１の情報処理装置と、前記画像データを無線通信により受信する第２の情報処理装置とを含み、前記第１の情報処理装置と前記第２の情報処理装置とが近距離無線通信により通信が可能となっているネットワークシステムにおける通信方法であって、前記第２の情報処理装置が、近距離無線通信により前記第１の情報処理装置と確立された通信により、第１の転送経路により転送を行うための第１の情報と、前記第１の転送経路とは異なる第２の転送経路により転送を行うための第２の情報とを前記第１の情報処理装置に送信する送信工程と、前記第１の情報処理装置が、前記第２の情報処理装置と確立された通信により前記第１の情報と前記第２の情報とを受信する受信工程と、前記第１の情報処理装置が、前記第１の転送経路による転送が可能である場合、前記第１の情報に基づいて前記近距離無線通信とは異なる通信方式を用いた無線通信を介して前記画像データを前記第１の転送経路により転送し、前記第１の転送経路による転送が可能でない場合、前記第２の情報に基づいて前記近距離無線通信とは異なる通信方式を用いた前記無線通信を介して前記画像データを前記第２の転送経路により転送するための制御を行う転送制御工程とを有することを特徴とする通信方法を備える。
【発明の効果】
【００１３】
本発明によれば、ある転送経路によりデータ転送が不可能である場合でも、他の転送経路によりデータ転送が可能となる。
【図面の簡単な説明】
【００１５】
【図１】本発明の代表的な実施例である近距離無線通信による通信が可能なネットワークシステムの全体構成を示すブロック図である。
【図２】携帯型通信端末装置の正面図である。
【図３】ＭＦＰ装置の概要構成を示す外観斜視図である。
【図４】ＮＦＣ通信におけるパッシブモードの概念を示すブロック図である。
【図５】ＮＦＣ通信におけるアクティブモードの概念を示すブロック図である。
【図６】携帯型通信端末装置２００の構成を示すブロック図である。
【図７】ＭＦＰ３００の概略構成を示すブロック図である。
【図８】ＮＦＣユニットの詳細な構成を示すブロック図である。
【図９】ＭＦＰの不揮発性メモリ（フラッシュメモリ）の内部構成を表したブロック図である。
【図１０】携帯型通信端末装置２００の不揮発性メモリ（フラッシュメモリ）の内部構成を表したブロック図である。
【図１１】ＮＦＣユニットがイニシエータとして動作するためのフローチャートである。
【図１２】パッシブモードによるデータ交換を行うシーケンスである。
【図１３】アクティブモードによるデータ交換を行うシーケンスである。
【図１４】ＭＦＰのスキャナ機能により画像原稿を読み取って得られた画像データの携帯型通信端末装置への転送をＭＦＰが主体となって行うプッシュ型通信のシーケンスを示す図である。
【図１５】ＭＦＰのスキャナ機能により画像原稿を読み取って得られた画像データの携帯型通信端末装置への転送を携帯型通信端末装置が主体となって行うプル型通信のシーケンスを示す図である。
【図１６】携帯型通信端末装置のアプリケーションを起動後からＭＦＰとの通信を終了するまでの携帯型通信端末装置が実行する処理を示すフローチャートである。
【図１７】携帯型通信端末装置を検知後から携帯型通信端末装置との通信を終了するまでのＭＦＰが実行する処理を示すフローチャートである。
【図１８】携帯型通信端末装置のアプリケーションが表示するスキャナ装置に対する設定を行う画面の例を示す図である。
【図１９】携帯型通信端末装置のアプリケーションが表示するスキャナ装置に対する詳細設定を行う画面の例を示す図である。
【発明を実施するための形態】
【００１６】
以下添付図面を参照して本発明の好適な実施例について、さらに具体的かつ詳細に説明する。ただし、この実施例に記載されている構成要素の相対配置等は、特定の記載がない限りは、この発明の範囲をそれらのみに限定する趣旨のものではない。
【００１７】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１９】
この実施例では、近距離無線通信方式を用いて低速通信（第１通信手段）により通信相手の特定と認証とを行った後、通信方式を高速通信（第２通信手段）に切り替えて画像データを送信する例について説明する。具体的には、ターゲットには電源を必要としないＮＦＣ（Near Field Communication）のような近距離無線通信で認証を行い、その後、他の通信プロトコルに通信を切り換えて画像データを通信する方法について説明する。
【００２０】
図１は本発明の代表的な実施例である近距離無線通信を用いたネットワークシステムの構成を示すブロック図である。このシステムは基本的には、サーバ装置１０１と携帯型通信端末装置（情報処理装置）２００とマルチファンクションプリンタ（以後、ＭＦＰ、或いは、記録装置）３００とがネットワーク１００により接続される構成となっている。
【００２１】
サーバ装置１０１は記録用の画像データの記憶ユニットや、ユーザＩＤの管理、画像処理アプリケーションを実行するプロセッサなどで構成されている。携帯型通信端末装置２００は、認証方法、通信速度が違う少なくとも２種類以上の無線通信プロトコルを実装した装置である。この携帯型通信端末装置としては、ＰＤＡ（情報携帯端末）などの個人情報端末、携帯電話、デジタルカメラなど、印刷対象となるファイルを扱える装置であれば何でも良い。ＭＦＰ３００は、各種設定が可能な表示部と操作パネルを備え、インクジェットプリンタなどをプリンタエンジンとして用いたプリンタ機能と、原稿台に原稿を載せて原稿を読み取るスキャナ機能、ＦＡＸ機能や電話機能を有した多機能プリンタ装置である。
【００２２】
ネットワーク１００とサーバ装置１０１は有線ＬＡＮで接続されており、ネットワーク１００とＭＦＰ３００は有線ＬＡＮもしくは無線ＬＡＮ（以後、ＷＬＡＮ）で接続されている。ネットワーク１００と携帯型通信端末装置２００はＷＬＡＮで接続されている。携帯型通信端末装置２００とＭＦＰ３００は共にＷＬＡＮの機能を有するため、相互認証をすることによってピアツーピア（以後、Ｐ２Ｐ）の通信が可能となる。
【００２３】
図２は、例えば、スマートホンのような携帯型通信端末装置２００の正面図である。スマートホンとは、携帯電話の機能の他に、カメラやネットブラウザやメール機能などを搭載した多機能型の携帯電話のことである。
【００２４】
図２おいて、ＮＦＣユニット２０１はＮＦＣを用いて通信を行うユニットであり、実際にＮＦＣユニット２０１を相手先のＮＦＣユニットに１０ｃｍ程度以内に近づけることで通信を行うことができる。ＷＬＡＮユニット２０２はＷＬＡＮを用いた通信を行うためのユニットで装置内に配置されている。なお、ＷＬＡＮの通信可能範囲は、ＮＦＣの通信可能範囲（１０ｃｍ程度）よりも広い。表示部２０３はＬＣＤディスプレイで構成され、そのディスプレイ上に静電式タッチパネル方式の操作機構を備えた操作部２０４が配置される。操作部２０４はユーザの操作情報を検知する。代表的な操作方法は表示部２０３がボタン状のメニューを表示し、ユーザが操作部２０４に触れることによってボタン部分に関連付けられたイベントを発行し処理を実行することである。電源キー２０５は電源のオン／オフのために用いる。
【００２５】
図３はＭＦＰ３００の概略構成を示す外観図である。図３において、（ａ）は外観斜視図であり、（ｂ）はＭＦＰの上面図である。
【００２６】
原稿台３０１はガラス状の透明な台であり、原稿を載置してスキャナで読み取る時に使用する。原稿蓋３０２はスキャナで読み取りを行う際に読取光が外部に漏れないようにするための蓋である。印刷用紙挿入口３０３は様々なサイズの用紙をセットする挿入口である。ここにセットされた用紙は一枚ずつ印刷部（プリンタエンジン）に搬送され、所望の印刷を行って印刷用紙排出口３０４から排出される。
【００２７】
原稿蓋３０２の上部には、（ｂ）に示すように、操作部３０５とＮＦＣユニット３０６が配置されている。操作表示部３０５には各種操作を行うキーやＬＣＤディスプレイを備えており、ＭＦＰ３００に関する操作や設定が可能な構成となっている。ＮＦＣユニット３０６は近距離無線通信を行うためのユニットで実際に携帯型通信端末装置２００を近接させる場所である。ＮＦＣユニット３０６から約１０ｃｍが通信可能な有効距離である。ＷＬＡＮアンテナ３０７はＷＬＡＮ通信を行うためのアンテナであり、原稿蓋３０２に埋め込まれている。
【００２８】
ＮＦＣユニットは低速通信に、ＷＬＡＮユニットは高速通信に用いられる。
【００２９】
次に、ＮＦＣ通信について説明する。ＮＦＣユニットによる近接通信を行う場合、初めにＲＦ（Radio Frequency）フィールド（磁界）を発生して通信を開始する装置をイニシエータと呼ぶ。また、イニシエータの発する命令に応答し、イニシエータとの通信を行う装置をターゲットと呼ぶ。ＮＦＣユニットの通信モードには、パッシブモードとアクティブモードがある。パッシブモードでは、ターゲットはイニシエータの命令に対し、負荷変調を行うことで応答する。一方、アクティブモードでは、ターゲットはイニシエータの命令に対し、ターゲット自らが発生するＲＦフィールドによって応答する。
【００３０】
図４はＮＦＣ通信におけるパッシブモードの概念を示すブロック図である。
【００３１】
図４（ａ）はイニシエータ４０１からターゲット４０２にデータ４０４をパッシブモードで送信する場合を示しており、イニシエータ４０１がＲＦフィールド（磁界）４０３を発生させる。イニシエータ４０１は、ＲＦフィールド４０３を自ら変調することで、ターゲット４０２にデータ４０４を送信する。また、図４（ｂ）は、ターゲット４０６からイニシエータ４０５にデータ４０８をパッシブモードで転送する場合を示しており、図４（ａ）と同様にイニシエータ４０５がＲＦフィールド４０７を発生させる。ターゲット４０６は、ＲＦフィールド４０７に対して負荷変調を行うことで、イニシエータ４０５にデータ４０８を送信する。
【００３２】
図５はＮＦＣ通信におけるアクティブモードの概念を示すブロック図である。
【００３３】
図５（ａ）はイニシエータ５０１からターゲット５０２にデータ５０４をアクティブモードで送信する場合を示しており、イニシエータ５０１がＲＦフィールド５０３を発生させる。イニシエータ５０１は、ＲＦフィールド５０３を自ら変調することで、ターゲット５０２にデータ５０４を送信する。イニシエータ５０１はデータ送信完了後、ＲＦフィールド５０３の発生を停止する。また、図５（ｂ）はターゲット５０６からイニシエータ５０５にデータ５０８をアクティブモードで送信する場合を示しており、ターゲット５０６がＲＦフィールド５０７を発生させる。ターゲット５０６は自らが発するＲＦフィールド５０７によってデータ５０８を送信し、データ送信終了後、ＲＦフィールド５０７の発生を停止する。
【００３４】
図６は携帯型通信端末装置２００の構成を示すブロック図である。
【００３５】
携帯型通信端末装置２００は、装置全体の制御を行うメインボード６０１と、ＷＬＡＮ通信を行うＷＬＡＮユニット６１７と、ＮＦＣ通信を行うＮＦＣユニット６１８とＢｌｕｅｔｏｏｔｈ（登録商標）によりＢＴ通信を行うＢＴユニット６２１からなる。なお、図６において、ＮＦＣユニット６１８とＢＴユニット６２１の通信相手先として携帯型通信装置が図示されているが、その通信相手先はこれに限定されるものではない。例えば、同じ通信プロトコルを備えた装置であれば、他の装置とも通信可能であることは言うまでもない。また、ＢＴユニット６２１の代わりにＷＬＡＮユニットを備える構成とし、例えば、ＩＥＥＥ８０２．１Ｘや８０２．１１ｎに準拠したプロトコルを用いて高速な無線通信を行うようにしても良い。ＷＬＡＮユニット６１７、ＮＦＣユニット６１８、ＢＴユニット６２１を総称して通信部という。
【００３６】
メインボード６０１においてＣＰＵ６０２は携帯型通信端末装置２００の全体を制御するシステム制御部である。ＲＯＭ６０３はＣＰＵ６０２が実行する制御プログラムや組み込みオペレーティングシステム（ＯＳ）プログラム等を格納する。この実施例では、ＲＯＭ６０３に格納されている各制御プログラムは、ＲＯＭ６０３に格納されている組み込みＯＳの管理下で、スケジューリングやタスクスイッチ等のソフトウエア制御を行う。ＲＡＭ６０４はＳＲＡＭ等で構成され、プログラム制御変数等を格納し、また、ユーザが登録した設定値や携帯型通信端末装置２００の管理データ等を格納し、各種ワーク用バッファ領域として用いられる。
【００３７】
画像メモリ６０５はＤＲＡＭ等で構成され、通信部を介して受信した画像データや、データ蓄積部６１２から読みだした画像データをＣＰＵ６０２で処理するために一時的に格納する。不揮発性メモリ６２２はフラッシュメモリ等で構成され、電源がオフされた後でも保存しておきたいデータを格納する。例えば、電話帳データや、過去に接続したデバイス情報などがある。なお、メモリ構成は図６に示した構成に限定されるものではない。例えば、画像メモリ６０５とＲＡＭ６０４を共有させてもよいし、データ蓄積部６１２にデータのバックアップなどを行ってもよい。また、この実施例ではＤＲＡＭを用いているが、ハードディスクや不揮発性メモリ等を使用する場合もあるのでこの限りではない。
【００３８】
データ変換部６０６は、ページ記述言語（ＰＤＬ）等の解析や、色変換、画像変換などのデータ変換を行う。電話部６０７は電話回線の制御を行い、スピーカ部６１３を介して入出力される音声データを処理することで電話による通信を実現している。操作部６０８は図２で説明した操作部２０４で発生した信号を制御している。ＧＰＳ（全球測位システム）６０９は現在の緯度や経度などを取得する。表示部６１０は図２で説明した表示部２０３の表示内容を電子的に制御しており、各種入力操作や、ＭＦＰ３００の動作状況、ステータス状況の表示等を行う事ができる。
【００３９】
カメラ部６１１はレンズを介して入力された画像を電子的に記録して符号化する機能を有している。カメラ部６１１で撮影された画像はデータ蓄積部６１２に保存される。スピーカ部６１３は電話機能のための音声を入力または出力する機能や、その他アラーム通知などの機能を実現している。電源部６１４は携帯可能な電池と、その供給制御を行う。電源状態には、電池に残量が無い電池切れ状態、電源キー２０５を押下していない電源オフ状態、通常起動している起動状態（電源オン状態）、起動しているが省電力モードになっている省電力状態がある。
【００４０】
携帯型通信端末装置２００にはＭＦＰなどの他デバイスとのデータ通信を行う通信部として、３つの無線通信手段が搭載されており、ＷＬＡＮ、ＮＦＣ、Ｂｌｕｅｔｏｏｔｈ（登録商標）で無線通信することができる。通信部によりデータをパケットに変換し、他デバイスにパケット送信を行う。逆に、外部の他デバイスからのパケットを、データに変換してメインボード６０１に対して送信する。ＷＬＡＮユニット６１７、ＮＦＣユニット６１８、ＢＴユニット６２１はそれぞれバスケーブル６１７、６１８、６２０で接続されている。ＷＬＡＮユニット６１７、ＮＦＣユニット６１８、ＢＴユニット６２１は夫々の規格に準拠した通信を実現する。ＮＦＣユニットの詳細は後述する。
【００４１】
上記構成要素６０３〜６１４、６１７、６１８、６２１、６２２は、ＣＰＵ６０２が管理するシステムバス６１９を介して、相互に接続されている。
【００４２】
図７は、ＭＦＰ３００の概略構成を示すブロック図である。
【００４３】
ＭＦＰ３００は装置全体の制御を行うメインボード７０１と、ＷＬＡＮ通信を行うＷＬＡＮユニット７１７と、ＮＦＣ通信を行うＮＦＣユニット７１８とＢＴ通信を行うＢＴユニット７１９からなる。なお、図７において、ＮＦＣユニット７１８とＢＴユニット７１９の通信相手先として携帯型通信装置が図示されているが、その通信相手先はこれに限定されるものではない。例えば、同じ通信プロトコルを備えた装置であれば、他の装置とも通信可能であることは言うまでもない。また、ＢＴユニット７１９の代わりにＷＬＡＮユニットを備える構成とし、例えば、ＩＥＥＥ８０２．１Ｘや８０２．１１ｎに準拠したプロトコルを用いて高速な無線通信を行うようにしても良い。ＷＬＡＮユニット７１７、ＮＦＣユニット７１８、ＢＴユニット７１９を総称して通信部という。
【００４４】
メインボード７０１においてＣＰＵ７０２は、ＭＦＰ３００の全体を制御するシステム制御部である。ＲＯＭ７０３はＣＰＵ７０２が実行する制御プログラムや組み込みオペレーティングシステム（ＯＳ）プログラム等を格納する。この実施例では、ＲＯＭ７０３に格納されている各制御プログラムは、ＲＯＭ７０３に格納されている組み込みＯＳの管理下で、スケジューリングやタスクスイッチ等のソフトウエア制御を行う。
【００４５】
ＲＡＭ７０４はＳＲＡＭ等で構成され、プログラム制御変数等を格納し、また、ユーザが登録した設定値やＭＦＰ３００の管理データ等を格納し、各種ワーク用バッファ領域としても用いられる。不揮発性メモリ７０５はフラッシュメモリ等で構成され、電源がオフされた時でも保持していたいデータを格納する。具体的にはネットワーク接続情報、ユーザデータなどである。画像メモリ７０６はＤＲＡＭ等で構成され、通信部を介して受信した画像データや、符号復号化処理部７１２で処理した画像データや、メモリカードコントローラ（不図示）を介してメモリカードから取得した画像データなどを蓄積する。また、携帯型通信端末装置２００のメモリ構成と同様に、メモリ構成はこれに限定されるものではない。データ変換部７０７は、ページ記述言語（ＰＤＬ）等の解析や画像データからプリントデータへの変換などを行う。
【００４６】
読取制御部７０８により制御される読取部７１０がＣＩＳイメージセンサによって原稿を光学的に読み取ることで発生した画像信号には画像処理制御部（不図示）を介して、２値化処理や中間調処理等の各種画像処理が施され、高精細な画像データを出力する。
【００４７】
操作部７０９、表示部７１１は図４で説明した操作表示部３０５を表している。符号復号化処理部７１２は、ＭＦＰ３００で扱う画像データ（ＪＰＥＧ、ＰＮＧ等）に対して符号復号化処理や拡大縮小処理を行う。
【００４８】
給紙部７１５は記録用紙などの記録媒体を保持する。給紙動作は記録制御部７１６からの制御により給紙部７１５により行うことができる。特に、給紙部は複数種類の用紙を一つの装置に保持するために、複数の給紙部から構成されても良い。この場合、記録制御部７１６により、どの給紙部から給紙を行うかを選択制御する。
【００４９】
記録制御部７１６は、記録に用いられる画像データに対し、画像処理制御部（不図示）を介して、スムージング処理や記録濃度補正処理、色補正等の各種画像処理を施し、高精細な画像データに変換し、記録部７１５に出力する。また、記録制御部７１６は記録部７１５の情報を定期的に読みだしてＲＡＭ７０４に格納される状態情報を更新する。具体的にはインクタンクの残量や記録ヘッドの状態などを更新する。
【００５０】
ＭＦＰ３００にも携帯型通信端末装置２００と同様に３つの無線通信手段が搭載されているが、各機能は携帯型通信端末装置２００のそれと同じであるため、その説明は省略する。なお、ＷＬＡＮユニット７１７、ＮＦＣユニット７１８、ＢＴユニット７１９はそれぞれバスケーブル７２０、７２１、７２２で接続されている。
【００５１】
上記構成要素７０２〜７１９は、ＣＰＵ７０２が管理するシステムバス７２３を介して、相互に接続されている。
【００５２】
図６〜図７でのＷＬＡＮユニットでは、例えば、ＩＥＥＥ８０２．１ＸやＩＥＥＥ８０２．１１ｎなどに準拠した高速無線通信が可能である。
【００５３】
図８はＮＦＣユニット６１８やＮＦＣユニット７１８で使用されているＮＦＣユニットの詳細な構成を示すブロック図である。
【００５４】
ＮＦＣユニット８００は、ＮＦＣコントローラ部８０１と、アンテナ部８０２と、ＲＦ部８０３と、送受信制御部８０４と、ＮＦＣメモリ８０５と、デバイス接続部８０７を有する。電源８０６はＮＦＣユニット８００の外部から供給される。アンテナ部８０２は、他のＮＦＣデバイスから電波や搬送波を受信したり、他のＮＦＣデバイスに電波や搬送波を送信したりする。ＲＦ部８０３はアナログ信号をデジタル信号に変復調する機能を備えている。ＲＦ部８０３はシンセサイザを備えていて、バンド、チャネルの周波数を識別し、周波数割り当てデータによるバンド、チャネルの制御をしている。送受信制御部８０４は送受信フレームの組み立て及び分解、プリアンブル付加及び検出、フレーム識別など、送受信に関する制御をおこなう。また、送受信制御部８０４はＮＦＣメモリ８０５の制御も行い、各種データやプログラムを入出力する。
【００５５】
ＮＦＣメモリ８０５は不揮発性メモリから構成される。アクティブモードとして動作する場合、電源８０６を介して電力の供給を受け、デバイス接続部８０７を通じてデバイスと通信を行ったり、アンテナ部８０１を介して送受信される搬送波により、通信可能な範囲にある他のＮＦＣデバイスと通信する。これに対して、パッシブモードとして動作する場合、アンテナ部８０２を介して他のＮＦＣデバイスから電波を受信して電磁誘導により他のＮＦＣデバイスから電力供給を受ける。そして、搬送波の変調により当該他のＮＦＣデバイスとの間で通信を行い、ＮＦＣメモリ８０５に記憶されている情報を含むデータを送受信する。
【００５６】
図９はＭＦＰ３００の不揮発性メモリ（フラッシュメモリ）７０５の内部構成を表したブロック図である。
【００５７】
図９において、９０１はフラッシュメモリ全体を表している。ユーザデータ９０２にはユーザに関する情報が記憶されており、例えば、ＦＡＸの電話番号、通信履歴、ネットワーク情報などが格納されている。過去に接続した装置リスト９０３にはＭＦＰ３００がこれまでに接続した装置のリストが格納されている。例えば、スマートホンとＮＦＣで通信した場合は、スマートホンの識別子が記憶される。スマートホンとＷＬＡＮでＰ２Ｐで接続した場合は、ＷＬＡＮで接続するための識別情報が記憶される。具体的にはＷＬＡＮ接続のためにＷＰＳ（Wi-Fi Protected Setup）が使用される場合はＷＰＳ  Ｃｒｅｄｅｎｔｉａｌ認証情報が記憶される。
【００５８】
スマートホンとＢｌｕｅｔｏｏｔｈ（登録商標）で接続した場合はＯＯＢ認証情報が記憶される。サーバ装置１０１とネットワーク１００経由で接続した場合はサーバ装置１０１のネットワーク情報が記憶される。設定情報９０６にはＭＦＰ３００の設定情報が記憶される。例えば、記録モードなどのメニュー項目や、インクジェット記録ヘッドの補正情報などが記憶される。その他９０７にはその他の不揮発情報が記憶される。
【００５９】
図１０は携帯型通信端末装置２００の不揮発性メモリ（フラッシュメモリ）６２２の内部構成を表したブロック図である。
【００６０】
図１０において、１００１は不揮発性メモリ全体を表している。プリンタ一覧１００２には、携帯型通信端末装置２００がこれまでに接続したことのあるプリンタが一覧で格納される。ＰｒｉｎｔｅｒＡ１００３はプリンタの一例を表している。ネットワーク接続情報１００４はＰｒｉｎｔｅｒＡをネットワークに接続した時のネットワーク接続情報が格納されており、例えば、ＬＡＮ経由で接続した場合は接続先のアドレスおよび認証情報が記憶されている。機器固有情報１００５はプリンタに関する情報が格納されており、例えば、プリンタの記録解像度や使用インク数などの情報が格納されている。
【００６１】
固有アプリケーション１００６には、プリンタに固有の処理（画像データをプリンタ仕様に即した形式への変換、バンド処理制御、通信制御など）を行うためのアプリケーションが格納される。この情報は、ネットワーク１００経由でダウンロードまたは最初にプリンタに接続した時に保存される。ＰｒｉｎｔｅｒＢ１００８は別のプリンタの一例を表している。ユーザデータ１００９にはユーザに関するデータで電話番号１０１０や画像サーバアドレス１０１１などが格納される。
【００６２】
図１１はＮＦＣユニットがイニシエータとして動作する場合のフローチャートである。
【００６３】
まず、ステップＳ１１０１では、すべてのＮＦＣユニットはターゲットとして動作し、イニシエータからの命令を待っている状態になる。次にステップＳ１１０２では、ＮＦＣユニットは、ＮＦＣ規格による通信を制御するアプリケーションからの要求でイニシエータに切り替わることができる。ＮＦＣユニットがイニシエータに切り替わる要求に応じた場合、処理はステップＳ１１０３に進み、アプリケーションは、アクティブモードまたはパッシブモードのどちらかを選択し、伝送速度を決める。
【００６４】
次にステップＳ１１０４では、イニシエータは自装置以外が出力するＲＦフィールドの存在を検知する。外部のＲＦフィールドが存在した場合は、イニシエータは自らのＲＦフィールドは発生させない。外部のＲＦフィールドが存在しなかった場合には、処理はステップＳ１１０５に進み、イニシエータは自らのＲＦフィールドを発生させる。
【００６５】
以上のステップを経て、ＮＦＣユニットはイニシエータとして動作を開始する。
【００６６】
図１２はパッシブモードによるデータ交換を行うシーケンスを示す図である。ここでは、ＮＦＣユニット（第１のＮＦＣユニット）１２０１がイニシエータ、ＮＦＣユニット（第２のＮＦＣユニット）１２０２がターゲットとして動作する場合について説明する。
【００６７】
まず、ステップＳ１２０１では、ＮＦＣユニット１２０１は単一デバイス検知を行い、ＮＦＣユニット１２０２を特定する。次にステップＳ１２０２では、ＮＦＣユニット１２０１は属性要求として自身の識別子や送受信のビット伝送速度、有効データ長などを送信する。また、この属性要求は汎用バイトを有しており、汎用バイトを任意に選択して使用することができる。有効な属性要求を受信した場合、ＮＦＣユニット１２０２はステップＳ１２０３として属性応答を送信する。ここで、ＮＦＣユニット１２０２からの送信は負荷変調によって行われており、図中では負荷変調によるデータ送信は点線の矢印で表現している。
【００６８】
有効な属性応答を確認した後、ＮＦＣユニット１２０１は、ステップＳ１２０４で、パラメータ選択要求を送信して、引き続く伝送プロトコルのパラメータを変更することができる。パラメータ選択要求に含まれるパラメータは、伝送速度と有効データ長である。ＮＦＣユニット１２０２は、有効なパラメータ選択要求を受信した場合、ステップＳ１２０５においてパラメータ選択応答を送信し、パラメータを変更する。なお、ステップＳ１２０４〜Ｓ１２０５は、パラメータ変更を行わない場合は省略しても良い。
【００６９】
次にステップＳ１２０６において、ＮＦＣユニット１２０１とＮＦＣユニット１２０２は、データ交換要求とデータ交換応答によってデータの交換を行う。データ交換要求とその応答では、通信相手が有するアプリケーションに対する情報などをデータとして伝送することができ、データサイズが大きい場合には分割して送信することもできる。
【００７０】
データ交換が終了するとステップＳ１２０７において、ＮＦＣユニット１２０１は、選択解除要求または解放要求のどちらかを送信する。選択解除要求を送信した場合、ＮＦＣユニット１２０２はステップＳ１２０８で選択解除応答を送信する。ＮＦＣユニット１２０１は、選択解除応答を受け取ると、ＮＦＣユニット１２０２を示す属性を解放してステップＳ１２０１に戻る。これに対して、解放要求を送信した場合、ＮＦＣユニット１２０２は、ステップＳ１２０８で解放応答を送信して初期状態へ戻る。ＮＦＣユニット１２０１は解放応答を受け取った場合、ターゲットは完全に解放されているので、初期状態へ戻ることができる。
【００７１】
図１３はアクティブモードによるデータ交換を行うシーケンスを示す図である。ここでは、ＮＦＣユニット１３０１（第１のＮＦＣユニット）がイニシエータ、ＮＦＣユニット（第２のＮＦＣユニット）１３０２がターゲットとして動作している場合について説明する。
【００７２】
まず、ステップＳ１３０１では、ＮＦＣユニット１３０１は属性要求として自身の識別子や送受信のビット伝送速度、有効データ長などを送信する。ユニット１３０２は、有効な属性要求を受信した場合、ステップＳ１３０２において属性応答を送信する。ここで、ＮＦＣユニット１３０２からの送信は自らの発したＲＦフィールドによって行われる。このため、両方のＮＦＣユニットは、データ送信が終了するとＲＦフィールドの発生を停止する。
【００７３】
有効な属性応答を確認後、ＮＦＣユニット１３０１は、ステップＳ１３０３において、パラメータ選択要求を送信して伝送プロトコルのパラメータを変更することができる。パラメータ選択要求に含まれるパラメータは、伝送速度と有効データ長である。ＮＦＣユニット１３０２は、有効なパラメータ選択要求を受信した場合、ステップＳ１３０４においてパラメータ選択応答を送信し、パラメータを変更する。なお、パッシブモードの場合と同様に、ステップＳ１３０３〜Ｓ１３０４は、パラメータ変更を行わない場合は省略しても良い。
【００７４】
次にステップＳ１３０５において、ＮＦＣユニット１３０１とＮＦＣユニット１３０２は、データ交換要求とデータ交換応答によってデータの交換を行う。データ交換要求とその応答は、アプリケーションに対する情報などをデータとして伝送することができ、データサイズが大きい場合には分割して送信することもできる。
【００７５】
データ交換が終了すると、処理はステップＳ１３０６において、ＮＦＣユニット１３０１は選択解除要求または解放要求のどちらかを送信する。選択解除要求を送信した場合、ＮＦＣユニット１３０２はステップＳ１３０７で選択解除応答を送信する。ＮＦＣユニット１３０１は選択解除応答を受け取るとＮＦＣユニット１３０２を示す属性を解放する。その後、ステップＳ１３０８において、ＮＦＣユニット１３０１は、識別子が既知な別のターゲットに対して起動要求を送信する。起動要求を受けたターゲットは、起動応答をステップＳ１３０９において送信し、その後、処理はステップＳ１３０１に戻る。これに対して、解放要求を送信した場合、ＮＦＣユニット１３０２は、ステップＳ１３０９で解放応答を送信して初期状態へ戻る。ＮＦＣユニット１３０１は解放応答を受け取れば、ターゲットは完全に解放されているので、初期状態へ戻ることができる。
【００７６】
ＮＦＣは通信速度が数１００ｂｐｓと比較的低速であるため、ＮＦＣで認証などを行い、容量の多いデータはより高速なＷＬＡＮで行うことで効率的なデータ転送を図ることができる。
【００７７】
図１４はＮＦＣとＷＬＡＮとを切り換えてデータ転送を行う場合のシーケンスを示す図である。この図では、ＭＦＰ３００のスキャナ機能を用いて画像原稿を読み取ることで生成した画像データを携帯型通信端末装置２００に転送する際に、ＭＦＰ３００が主体となって転送する、いわゆるプッシュ型通信の一例を示している。
【００７８】
ステップＳ１４０１では、ＭＦＰ３００とのＮＦＣ通信を確立するため、ＮＦＣユニット６１８がイニシエータとなって、ＮＦＣユニット７１８をターゲットとして検知する。ＮＦＣユニット７１８が正しく検知された場合、ステップＳ１４０２では、ＮＦＣユニット７１８は検知応答を送信する。なお、図１４の例は携帯型通信端末装置２００がイニシエータとなる場合を示しているが、実際には操作部３０５などからの入力に基づいてＭＦＰ３００がイニシエータとなってもよい。検知応答を正しく受信した場合、ＮＦＣユニット６１８は、ステップＳ１４０３においてＮＦＣ通信を行うための属性要求を送信する。属性要求を受信したＮＦＣユニット７１８は、ステップＳ１４０４で属性応答を返す。ここで、属性要求および応答では、それぞれイニシエータおよびターゲットのＮＦＣ＿ＩＤ を送信し、このＩＤによって通信相手を特定する。
【００７９】
ステップＳ１４０５では相互認証が行われ、データ暗号化のための暗号鍵などを渡すことができる。なお、暗号鍵を渡す必要がない場合などは、この相互認証は行わなくとも良い。その後、ステップＳ１４０６では、ＮＦＣユニット６１８は、ＮＦＣユニット７１８に対して、ＭＦＰ３００が利用可能な通信プロトコルの情報を要求する。この要求には携帯型通信端末装置が利用可能な通信プロトコルの情報が含まれており、ＮＦＣユニット７１８は、この要求を受信した際に、携帯型通信端末装置ではＷＬＡＮ通信が利用可能であることを認識することができる。ＮＦＣユニット７１８は、ステップＳ１４０７において、ステップＳ１４０６で受信した要求に対して、ＭＦＰ自身の利用可能な通信プロトコルの情報を応答する。これによって互いの装置は、互いの利用可能な通信プロトコルを把握することができる。
【００８０】
ここで認識したＮＦＣ以外の通信プロトコルであるＷＬＡＮが、ＮＦＣよりも高速なデータ転送が可能であり、ＷＬＡＮに切り換えて通信を行うことがイニシエータである携帯型通信端末装置によって決定されたとする。なお、切り換えを行うための決定はＭＦＰが行っても良い。
【００８１】
その場合、ステップＳ１４０８〜Ｓ１４０９において、例えば、通信相手を特定するアドレスなど、ＷＬＡＮで通信を行うために必要な情報を交換する。その後、処理はステップＳ１４１０に移行し、ＮＦＣユニット６１８はＮＦＣ通信からＷＬＡＮ通信へと切り換える要求を送信する。ＮＦＣユニット７１８は、切り換えの要求を受信すると、ステップＳ１４１１において応答する。
【００８２】
ここで、正しい切り換え応答が得られたら、処理はステップＳ１４１２において、ＮＦＣユニット６１８からＷＬＡＮユニット６１７へ、ステップＳ１４１３ではＮＦＣユニット７１８からＷＬＡＮユニット７１７へと、それぞれ切り換えを行う。切り換え後、ステップＳ１４１４では、ＮＦＣユニット６１８は解放要求を送信する。解放要求を受信したＮＦＣユニット７１８は、ステップＳ１４１５において解放応答を送信し、ＮＦＣ通信を終了する。
【００８３】
ステップＳ１４１６以降の処理では、ステップＳ１４０８〜Ｓ１４０９で交換したＷＬＡＮ通信のための情報に基づいて、ＷＬＡＮ通信を実行する。
【００８４】
ステップＳ１４１６では、ＷＬＡＮユニット７１７はデータ転送が可能かどうかＷＬＡＮユニット６１７に確認する。ここで確認する内容は、例えば、携帯型通信端末装置２００に転送しようとする画像データを保存するために必要な空き容量などがある。ＷＬＡＮユニット６１７は、確認の要求を受信後、ステップＳ１４１７で確認応答を送信する。正しい応答が得られ、データ転送が可能であると判断した場合、ステップＳ１４１８では、ＷＬＡＮユニット７１７は、ＭＦＰ３００でスキャナ機能により生成した画像データをＷＬＡＮユニット７１７に対して送信する。こうすることで、容量の大きいデータはより高速な通信プロトコルを用いて転送することができる。
【００８５】
図１５はＭＦＰ３００のスキャナ機能を用いて画像原稿を読み取ることで生成した画像データを携帯型通信端末装置２００に転送する際に、携帯型通信端末装置２００が主体となって転送する、いわゆるプル型通信のシーケンスを示す図である。なお、図１５において、図１４に示したのと同じステップについては同じステップ参照番号を付し、その説明は省略する。
【００８６】
図１５によれば、ＮＦＣ通信からＷＬＡＮ通信に切り換わった後、ステップＳ１４１６’では、ＷＬＡＮユニット６１７からＷＬＡＮユニット７１７に対してデータ取得の確認要求を送信する。ここで確認される内容は、例えば、ＭＦＰ３００が転送する予定のデータサイズなどがある。転送データに関する確認要求を受信後、ＷＬＡＮユニット７１７は、ステップＳ１４１７において応答を送信する。正しい応答が得られ、携帯型通信端末装置２００の空き容量などを考慮したうえでデータ転送が可能であると判断した場合、ＷＬＡＮユニット６１７は、ステップＳ１４１８’において画像データを要求する。正しい要求を受け取った場合、ＷＬＡＮユニット７１７はステップＳ１４１９’において要求された画像データを送信する。
【００８７】
図１６は、携帯型通信端末装置のアプリケーションを起動後、ＭＦＰとの通信を終了するまでに携帯型通信端末装置で実行される処理を示すフローチャートである。ここで、このアプリケーションは、後述する図１８に示すようなユーザによる設定入力を行うためのユーザインタフェースと、携帯型通信端末装置のＮＦＣユニットをイニシエータとして動作させるための機能などを有しているとする。
【００８８】
まず、ステップＳ１６０１では、携帯型通信端末装置のアプリケーションを用いて、ユーザはＭＦＰ３００のスキャナ機能に対する設定と指示とを行う。この設定や指示はＭＦＰに送信され、スキャナの読取解像度などの読取機能に関する設定や、画像読取により得られた画像データを転送するアドレス設定などがある。設定完了後、ステップＳ１６０２では、ＮＦＣ通信による検知要求／応答や属性要求／応答などを送受信してＭＦＰ３００を検知する。なお、この場合のイニシエータは携帯型通信端末装置でも良いし、ＭＦＰでも良い。ＭＦＰの検知後、続いてステップＳ１６０３では、ステップＳ１６０１で決定した読み取り設定をＭＦＰに送信する。
【００８９】
ステップＳ１６０４では、読み取り設定で決定した画像データの転送先を調べる。ここで、画像データを携帯型通信端末装置に転送する場合、処理はステップＳ１６０５へ進み、携帯型通信端末装置以外の装置、例えば、サーバ装置１０１などに転送する場合、処理はターゲットを解放して通信を終了する。なお、携帯型通信端末装置またはＭＦＰで予め画像データの転送先が決定していた場合は、ステップＳ１６０４の処理は行わなくても良い。
【００９０】
ステップＳ１６０５では、画像データの転送をＷＬＡＮなどのＮＦＣ以外の通信方式で行うかどうかを調べる。ここで、その通信方式をＮＦＣ通信から別の通信方式に切り換える場合、処理はステップＳ１６０６へ進み、ＮＦＣ通信を継続する場合、処理はステップＳ１６０７へ進む。なお、画像データを転送する通信方式は、ステップＳ１６０１でユーザが選択しても良いし、携帯型通信端末装置またはＭＦＰによって自動的に選択されても良く、予め決められていても良い。
【００９１】
ステップＳ１６０６では、図１４或いは図１５に示したシーケンスに従って、通信方式の切り換えを行う。ただし、通信の始めから相互認証までのシーケンスはステップＳ１６０２で終了しているため、利用可能なＷＬＡＮなどの情報を要求するステップＳ１４０６以降の処理を実行する。ここで、設定した通信方式が携帯型通信端末装置またはＭＦＰで利用可能でなかった場合は、その旨をユーザに通知するか、或いは、利用可能な別の通信方式を選択するなどの代替処理を行う。ＮＦＣ通信以外の通信方式に切り換えることが成功した場合は、ＮＦＣ通信を終了しても良い。
【００９２】
以上の処理が終了すると、ステップＳ１６０７において、ＭＦＰのスキャナ機能による画像原稿の読取処理が終了するまで、処理を待ち合わせる。読取処理が終了した場合は、処理終了通知などを受信することで、処理はステップＳ１６０８に進む。ステップＳ１６０８では、読み取った画像原稿の画像データを受信する。この際、その画像データを受信するための通信は、ＮＦＣ通信またはステップＳ１６０６でＮＦＣ通信から切り換えた通信方式によって行われる。画像データの受信完了後、その通信を終了する。なお、データ受信中で通信が途切れた場合は、携帯型通信端末装置の画面にその旨を表示してユーザに通知するなどのエラー処理を行う。
【００９３】
図１７は、携帯型通信端末装置を検知後、通信終了までの、ＭＦＰによって実行される処理を示すフローチャートである。ここでは、携帯型通信端末装置がＭＦＰのスキャナ機能をＮＦＣ通信を介して起動し、読み取った画像原稿の画像データをＮＦＣ通信又は別の通信プロトコルによって携帯型通信端末装置もしくはサーバ装置に転送する処理が示されている。
【００９４】
ステップＳ１７０１では、図１６のステップＳ１６０１においてユーザが決定したスキャナ機能に対する設定を受信する。この設定は、例えば、スキャナの読取解像度などの読取機能に関する設定や、画像読取により得られた画像データを転送するアドレスの設定などが含まれる。続いて、ステップＳ１７０２では受信した設定を解読し、画像データの転送先を調べる。ここで、画像データを携帯型通信端末装置に直接転送する場合、処理はステップＳ１７０３へ進み、そうでなければ処理はステップＳ１７０４へ進む。なお、携帯型通信端末装置またはＭＦＰで予め画像データの転送先を決定していた場合は、ステップＳ１７０２の処理は行わなくても良い。
【００９５】
ステップＳ１７０３では、画像データを転送する通信方式をＮＦＣ通信から別の方式に切り換えるかどうかを判断する。ここで、通信方式を切り換える場合、処理はステップＳ１７０４へ進み、通信方式を切り換えない場合、処理はステップＳ１７０５へ進む。ステップＳ１７０４では、図１４或いは図１５に示したシーケンスに従って、通信方式の切り換えを行う。特に、ステップＳ１７０２において携帯型通信端末装置に画像データを送信しないと判断した場合は、この時点で携帯型通信端末装置との接続を終了し、指定された画像データの転送先との通信を開始する。また、設定した通信方式がＭＦＰもしくは画像データの転送先で利用可能でなかった場合は、その旨を携帯型通信端末装置のユーザに通知するか、或いは、利用可能な別の通信方式を選択するなどの代替処理を行う。ＮＦＣ通信以外の通信方式に切り換えることが成功した場合は、ＮＦＣ通信を終了しても良い。
【００９６】
ステップＳ１７０５では、ＭＦＰのスキャナ機能を用いて画像原稿の読取処理を行う。読取処理の終了後、その旨を携帯型通信端末装置に通知し、処理はステップＳ１７０６へ進む。なお、ここでは通信方式の切り換えの後に画像読取処理を行っているが、通信方式の切り換えは画像読取処理の後に行っても良いし、或いは、画像読取処理と並行に行っても良い。
【００９７】
ステップＳ１７０６では、定められた転送先に対して、定められた通信プロトコルに従って画像データを送信する。この転送先と通信プロトコルとはそれぞれ、予めもしくは読み取り設定によって定められている。さらにステップＳ１７０７では、無線通信において転送先が通信可能範囲外になってしまうなどのように送信エラーが発生したかどうかを監視する。ここで、転送先との通信エラーが生じた場合、画像データの転送中に通信が中断してしまう可能性があるので、処理はステップＳ１７０８に進み、代替のサーバ装置にその画像データを送信するよう転送制御する。この代替先として、ステップＳ１７０１で受信する設定にサーバ装置など別の転送先のアドレスなども含めておくことで、初めに選択した転送先との通信が失敗したときに、別の転送先に残りの画像データを転送することができる。なお、画像データを送信する別の転送先のアドレスなどは設定に含めても良いし、ＭＦＰが予め定めておいても良い。
【００９８】
また、送信エラーがない場合、画像データの転送完了後、ＭＦＰは通信を終了する。また、送信エラー発生した場合でも代替のサーバ装置への画像データ転送完了後、ＭＦＰはその通信を終了する。ここで、画像データが携帯型通信端末装置とは異なる転送先（例えば、サーバ装置）に転送されていた場合、転送先から携帯型通信端末装置に対して電子メールなどで画像データの転送が終了した旨を通知するようサーバ装置に依頼しても良い。
【００９９】
図１８は、図１６のステップＳ１６０１における、携帯型通信端末装置のアプリケーション上で画像読取を行うスキャナ装置（或いは、スキャナ機能を備えたＭＦＰ）に対する設定を行う画面の一例を示す図である。このアプリケーションは、ユーザによる入力を行うユーザインタフェースと、ＮＦＣユニットをイニシエータとして動作させるための機能などを有する。
【０１００】
図１９は、図１６のステップＳ１６０１において図１８の詳細設定キー１８０５を選択した場合に遷移する、スキャナ装置（或いは、スキャナ機能を備えたＭＦＰ）に対する詳細設定を行う画面の一例を示す図である。
【０１０１】
図１８に示すように、設定画面１８０１は、カラーモード選択キー１８０２と、読み取りモード選択キー１８０３と、画像の保存先選択キー１８０４と、詳細設定キー１８０５と、読み取り開始キー１８０６と、終了キー１８０７とが表示される。カラーモード選択キー１８０２は、例えば、カラー、モノクロなどの読取色に関する項目を選択することができる。読み取りモード選択キー１８０３は、例えば、文書、写真など、読み取る画像原稿の種類を選択することができる。画像の保存先選択キー１８０４は、画像原稿の読取で得られた画像データの転送先を設定する。ここでは、例えば、携帯型通信端末装置、または携帯型通信端末装置から接続することができるサーバ装置などが選択肢として表示される。また、画像データの転送先の選択肢を追加、または削除することもできる。
【０１０２】
詳細設定キー１８０５が選択されると、設定画面１８０１から図１９に示す詳細設定画面１９０１へと画面が遷移する。読み取り開始キー１８０６が選択されると、携帯型通信端末装置はＮＦＣ通信におけるイニシエータとなり、通信相手のスキャナ装置（この実施例ではＭＦＰ）の検知を開始する。終了キー１８０７を選択すると、アプリケーションを終了する。ここで、アプリケーションを終了する前に、終了する旨を再度確認するメッセージと選択キーなどが表示されても良い。なお、設定画面１８０１におけるキーおよび表示内容は一例であり、項目、表示内容および位置などは任意に変更して良い。また、ここでは一般的なスキャナ装置に共通する項目を設定しても良いし、後述する図１９に関連して設定したスキャナ装置によって画面を変更しても良い。
【０１０３】
ここで、図１９を参照して、スキャナ装置（この実施例ではＭＦＰ）に対する詳細設定について説明する。
【０１０４】
詳細設定画面１９０１には、読取装置選択キー１９０２と、読み取り解像度選択キー１９０３と、転送失敗時の代替転送先選択キー１９０４と、画像転送完了通知選択キー１９０５と、簡易設定に戻るキー１９０６とが表示される。読取装置選択キー１９０２は、ここで設定した内容を送信する通信相手となるスキャナ装置（この実施例ではＭＦＰ）を選択する。ここでは、例えば、過去に通信した装置が選択肢として表示され、新たにユーザが追加することもできる。追加する際には、例えば、ＮＦＣ通信などによって設定の送信などとは別に通信を行ってスキャナ装置やＭＦＰを認識しても良いし、ユーザがＷｅｂからスキャナ装置を検索することによって選択しても良い。もし、選択されたスキャナ装置と実際に通信したスキャナ装置が異なっていた場合、エラーをユーザに通知して項目の変更を促しても良く、入力した設定に近い設定によって画像原稿の読取処理を行っても良い。読み取り解像度選択キー１９０３は、スキャナ装置の読取解像度を選択することができる。この設定は装置によって異なる可能性があるので、選択した装置の変更可能な設定だけを選択肢としてユーザに提示する。
【０１０５】
転送失敗時の代替転送先選択キー１９０４では、画像データの転送開始前または転送中で通信が中断した場合にも残りの画像データを転送するために、図１８で選択した設定とは別の転送先を選択することができる。ここでは、例えば、携帯型通信端末装置、または携帯型通信端末装置が接続可能なサーバ装置などが選択肢として表示される。また、画像データの転送先の選択肢を追加または削除することもでき、代替の転送先を設定しないこともできる。
【０１０６】
画像転送完了通知選択キー１９０５は、画像データを携帯型通信端末装置以外の装置に転送する場合に、画像データの転送が終了したことを通知するかどうかを選択することができる。ここで、通知することを選択し、携帯型通信端末装置が正常に画像データを受信した場合など、携帯型通信端末装置が終了を認知している場合には通知を行わなくても良い。簡易設定に戻るキー１９０６が選択されると、表示画面は詳細設定画面１９０１から図１８に示した設定画面１８０１へと遷移する。なお、設定画面１９０１におけるキーおよび表示内容は一例であり、項目、表示内容および位置などは任意に変更して良い。
【０１０７】
以上説明した実施例に従えば、携帯型通信端末装置にＭＦＰのスキャナ機能の実行により得られた画像データを高速なＷＬＡＮにより転送することができる。さらに、その転送中に通信が中断した場合でも、例えば、サーバ装置などの代替装置にその画像データを転送しておき、携帯型通信端末装置はネットワーク経由でサーバ装置からその画像データを取得することができる。
【０１０８】
このようにすることで、比較的小容量のメモリしか備えないＭＦＰに長時間にわたり大容量の画像データが滞留するのを防止することができ、ＭＦＰの効率的な利用が図られる。一方、電池電源で動作する携帯型通信端末装置が電池切れで画像データの受信ができなくなった場合でも、電池交換後、或いは充電完了後、サーバ装置から所望の画像データを取得することができる。
【０１０９】
なお、以上の実施例では、ＭＦＰからスキャンデータを送信する例について説明したが、これに限らず各種のデータであってもよい。
【０１１０】
また、以上の実施例では、ＭＦＰがサーバに対してＷＬＡＮによりデータを送信する例について説明したが、これに限らず、Ｂｌｕｅｔｏｏｔｈ（登録商標）等の各種の無線通信を用いることができる。または、有線の通信により、データをサーバに送信する場合であってもよい。
【０１１１】
また本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１１２】
また、プログラムを実行するコンピュータは、１つであってもよいし、複数のコンピュータが協働してプログラムを実行するものであってもよい。さらに、プログラムの一部を実行する回路等のハードウェアを設け、そのハードウェアと、ソフトウェアを実行するコンピュータが協働して、本実施例で説明した処理を実行する場合であってもよい。
【図１】
0005991733.tif 000002
【図２】
0005991733.tif 000003
【図３】
0005991733.tif 000004
【図４】
0005991733.tif 000005
【図５】
0005991733.tif 000006
【図６】
0005991733.tif 000007
【図７】
0005991733.tif 000008
【図８】
0005991733.tif 000009
【図９】
0005991733.tif 000010
【図１０】
0005991733.tif 000011
【図１１】
0005991733.tif 000012
【図１２】
0005991733.tif 000013
【図１３】
0005991733.tif 000014
【図１４】
0005991733.tif 000015
【図１５】
0005991733.tif 000016
【図１６】
0005991733.tif 000017
【図１７】
0005991733.tif 000018
【図１８】
0005991733.tif 000019
【図１９】
0005991733.tif 000020